(57)【特許請求の範囲】
【請求項１】
データ信号と走査信号をパネルの各画素に伝送するデータドライバとゲートドライバを含むＡＭＥＬＤの駆動回路において、
前記データドライバはシフトレジスタに格納された制御信号をラッチするラッチ部と、ラッチした制御信号によって特定のレベルのリファレンス電流をＲＧＢ別のデータ信号線に出力する複数のデジタル−アナログコンバータとを備えており、
前記デジタル−アナログコンバータは、特定のレベルのリファレンス電流を出力するリファレンス電流出力部と、該リファレンス電流出力部から出力される特定のリファレンス電流を受けて、ＲＧＢ別にデータラインへ流れるシンク電流のレベルを調節するシンク電流調節部とから構成され、
前記シンク電流調節部は第１電圧端と、第２電圧端と、前記リファレンス電流出力部の出力端により共通に制御される前記リファレンス電流出力部の出力端と前記第１電圧端との間に接続された第１トランジスタ及び、前記第２電圧端とデータ配線との間に接続される第２トランジスタが成すカレントミラー構造であり、第１トランジスタと第２トランジスタのゲートはリファレンス電流の出力端と接続されて構成され、
前記第１電圧端は一定の電圧に保持され、第２電圧端はＲＧＢ別に特定の電圧を外部から印加されて、ＲＧＢ別にシンク電流のレベルを調節することを特徴とするＡＭＥＬＤの駆動回路。
【請求項２】
データ信号と走査信号をパネルの各画素に伝送するデータドライバとゲートドライバを含むＡＭＥＬＤの駆動回路において、
前記データドライバはシフトレジスタに格納された制御信号をラッチするラッチ部と、ラッチした制御信号によって特定のレベルのリファレンス電流をＲＧＢ別のデータ信号線に出力する複数のデジタル−アナログコンバータとを備えており、
前記デジタル−アナログコンバータは、特定のレベルのリファレンス電流を出力するリファレンス電流出力部と、該リファレンス電流出力部から出力される特定のリファレンス電流を受けて、ＲＧＢ別にデータラインへ流れるシンク電流のレベルを調節するシンク電流調節部とから構成され、
前記シンク電流調節部は第１電圧端と、第２電圧端と、前記リファレンス電流出力部の出力端により共通に制御される前記リファレンス電流出力部の出力端と前記第１電圧端との間に接続された第１トランジスタ及び、前記第２電圧端とデータ配線との間に接続される第２トランジスタが成すカレントミラー構造であり、第１トランジスタと第２トランジスタのゲートはリファレンス電流の出力端と接続され、前記リファレンス電流出力端と第１トランジスタとの間に電流遮断スイッチが更に設けられた構成であることを特徴とするＡＭＥＬＤの駆動回路。
【請求項３】
データ信号と走査信号をパネルの各画素に伝送するデータドライバとゲートドライバを含むＡＭＥＬＤの駆動回路において、
前記データドライバはシフトレジスタに格納された制御信号をラッチするラッチ部と、ラッチした制御信号によって特定のレベルのリファレンス電流をＲＧＢ別のデータ信号線に出力する複数のデジタル−アナログコンバータとを備えており、
該デジタル−アナログコンバータは、特定のレベルのリファレンス電流を出力するリファレンス電流出力部と、該リファレンス電流出力部から出力される特定のリファレンス電流を受けて、ＲＧＢ別にデータラインへ流れるシンク電流のレベルを調節するシンク電流調節部とから構成され、
前記シンク電流の調節部は第１電圧端と、可変抵抗と、前記リファレンス電流出力部の出力端によって共通に制御される前記リファレンス電流出力部の出力端と前記第１電圧端との間で前記可変抵抗と直列に接続された第１トランジスタ及び、前記第１電圧端とデータ配線との間に接続された第２トランジスタが成すカレントミラー構造から構成され、第１トランジスタと第２トランジスタのゲートはリファレンス電流の出力端と接続され、さらに前記可変抵抗は前記第１電圧端と前記第１トランジスタとの間に接続され、特定のリファレンス電流下でＲＧＢ別にその抵抗値が変化するものであることを特徴とするＡＭＥＬＤの駆動回路。
【請求項４】
データ信号と走査信号をパネルの各画素に伝送するデータドライバとゲートドライバを含むＡＭＥＬＤの駆動回路において、
前記データドライバはシフトレジスタに格納された制御信号をラッチするラッチ部と、ラッチした制御信号によって特定のレベルのリファレンス電流をＲＧＢ別のデータ信号線に出力する複数のデジタル−アナログコンバータとを備えており、
該デジタル−アナログコンバータは、特定のレベルのリファレンス電流を出力するリファレンス電流出力部と、該リファレンス電流出力部から出力される特定のリファレンス電流を受けて、ＲＧＢ別にデータラインへ流れるシンク電流のレベルを調節するシンク電流調節部とから構成され、
前記シンク電流の調節部は第１電圧端と、固定抵抗と、前記リファレンス電流出力部の出力端によって共通に制御される前記リファレンス電流出力部の出力端と前記第１電圧端との間で前記固定抵抗と直列に接続された第１トランジスタ及び、前記第１電圧端とデータ配線との間に接続された第２トランジスタが成すカレントミラー構造から構成され、第１トランジスタと第２トランジスタのゲートはリファレンス電流の出力端と接続され、前記リファレンス電流出力端と第１トランジスタとの間に電流遮断スイッチが更に構成されることを特徴とするＡＭＥＬＤの駆動回路。
【請求項５】
データ信号と走査信号をパネルの各画素に伝送するデータドライバとゲートドライバを含むＡＭＥＬＤの駆動回路において、
前記データドライバはシフトレジスタに格納された制御信号をラッチするラッチ部と、ラッチした制御信号によって特定のレベルのリファレンス電流をＲＧＢ別のデータ信号線に出力する複数のデジタル−アナログコンバータとを備えており、
前記デジタル−アナログコンバータは、特定のレベルのリファレンス電流を出力するリファレンス電流出力部と、該リファレンス電流出力部から出力される特定のリファレンス電流を受けて、ＲＧＢ別にデータラインへ流れるシンク電流のレベルを調節するシンク電流調節部とから構成され、
前記シンク電流調節部は第１電圧端と、可変抵抗と、リファレンス電流出力部の出力端に共通に制御されるリファレンス電流出力部の出力端と前記第１電圧端との間に接続された第１トランジスタ及び、前記第１電圧端とデータ配線との間で前記可変抵抗と直列に接続された第２トランジスタが成すカレントミラー構造から構成され、第１トランジスタと第２トランジスタのゲートはリファレンス電流の出力端と接続され、さらに前記可変抵抗は前記第１電圧端と前記第２トランジスタとの間に接続され、特定のリファレンス電流下でＲＧＢ別にその抵抗値が変化するものであることを特徴とするＡＭＥＬＤの駆動回路。
【請求項６】
データ信号と走査信号をパネルの各画素に伝送するデータドライバとゲートドライバを含むＡＭＥＬＤの駆動回路において、
前記データドライバはシフトレジスタに格納された制御信号をラッチするラッチ部と、ラッチした制御信号によって特定のレベルのリファレンス電流をＲＧＢ別のデータ信号線に出力する複数のデジタル−アナログコンバータとを備えており、
前記デジタル−アナログコンバータは、特定のレベルのリファレンス電流を出力するリファレンス電流出力部と、該リファレンス電流出力部から出力される特定のリファレンス電流を受けて、ＲＧＢ別にデータラインへ流れるシンク電流のレベルを調節するシンク電流調節部とから構成され、
前記シンク電流調節部は第１電圧端と、固定抵抗と、リファレンス電流出力部の出力端に共通に制御されるリファレンス電流出力部の出力端と前記第１電圧端との間に接続された第１トランジスタ及び、前記第１電圧端とデータ配線との間で前記固定抵抗と直列に接続された第２トランジスタが成すカレントミラー構造から構成され、第１トランジスタと第２トランジスタのゲートはリファレンス電流の出力端と接続され、前記リファレンス電流の出力端と第１トランジスタとの間に電流遮断スイッチが更に構成されることを特徴とするＡＭＥＬＤの駆動回路。
【請求項７】
データ信号と走査信号をパネルの各画素に伝送するデータドライバとゲートドライバを含むＡＭＥＬＤの駆動回路において、
前記データドライバはシフトレジスタに格納された制御信号をラッチするラッチ部と、ラッチした制御信号によって特定のレベルのリファレンス電流をＲＧＢ別のデータ信号線に出力する複数のデジタル−アナログコンバータとを備えており、
前記デジタル−アナログコンバータは、特定のレベルのリファレンス電流を出力するリファレンス電流出力部と、該リファレンス電流出力部から出力される特定のリファレンス電流を受けて、ＲＧＢ別にデータラインへ流れるシンク電流のレベルを調節するシンク電流調節部とから構成され、
前記シンク電流調節部は第１電圧端と、第１，第２トランジスタと、前記リファレンス電流出力部の出力端に共通に制御される前記リファレンス電流出力部の出力端と前記第１電圧端との間で第１トランジスタと直列に接続された第３トランジスタ及び、前記第１電圧端とデータ配線との間で第２トランジスタと直列に接続された第４トランジスタが成すカレントミラー構造から構成され、第１トランジスタと第２トランジスタのゲートはＶｂｉａｓに接続されることを特徴とするＡＭＥＬＤの駆動回路。
【請求項８】
前記第１トランジスタのゲートと第２トランジスタのゲートは、共通にＶｂｉａｓに接続されることを特徴とする請求項７記載のＡＭＥＬＤの駆動回路。
【請求項９】
前記第１電圧端はＲＧＢ別にシンク電流を調節するために、外部から制御して印加される電圧であることを特徴とする請求項７記載のＡＭＥＬＤの駆動回路。
【請求項１０】
前記Ｖｂｉａｓは一定に外部から印加される電圧であることを特徴とする請求項８に記載のＡＭＥＬＤの駆動回路。
【請求項１１】
前記リファレンス電流の出力端と第１トランジスタとの間に電流遮断スイッチが更に構成されることを特徴とする請求項７記載のＡＭＥＬＤの駆動回路。
【請求項１２】
データ信号と走査信号をパネルの各画素に伝送するデータドライバとゲートドライバを含むＡＭＥＬＤの駆動回路において、
前記データドライバはシフトレジスタに格納された制御信号をラッチするラッチ部と、ラッチした制御信号によって特定のレベルのリファレンス電流をＲＧＢ別のデータ信号線に出力する複数のデジタル−アナログコンバータとを備えており、
前記デジタル−アナログコンバータは、特定のレベルのリファレンス電流を出力するリファレンス電流出力部と、該リファレンス電流出力部から出力される特定のリファレンス電流を受けて、ＲＧＢ別にデータラインへ流れるシンク電流のレベルを調節するシンク電流調節部とから構成され、
前記シンク電流調節部は第１電圧端と、第１トランジスタと、前記第１トランジスタのドレインの出力値によって共通に制御されるリファレンス電流出力部の出力端と前記第１電圧端との間に接続された第２トランジスタ及び、前記第１電圧端とデータ配線との間で前記第１トランジスタと直列に接続された第３トランジスタが成すカレントミラー構造から構成され、第１トランジスタのゲートはリファレンス電流出力部の出力端に接続されることを特徴とするＡＭＥＬＤの駆動回路。
【請求項１３】
前記第１トランジスタのゲートはリファレンス電流出力部の出力端に接続されることを特徴とする請求項１２記載のＡＭＥＬＤの駆動回路。
【請求項１４】
前記第１電圧端は各ＲＧＢ別に外部から特定の電圧を印加されることを特徴とする請求項１２記載のＡＭＥＬＤの駆動回路。
【請求項１５】
前記リファレンス電流の出力端と第１トランジスタとの間に電流遮断スイッチが更に構成されることを特徴とする請求項１０記載のＡＭＥＬＤの駆動回路。
【請求項１６】
データ信号と走査信号をパネルの各画素に伝送するデータドライバとゲートドライバを含むＡＭＥＬＤの駆動回路において、
前記データドライバはシフトレジスタに格納された制御信号をラッチするラッチ部と、ラッチした制御信号によって特定のレベルのリファレンス電流をＲＧＢ別のデータ信号線に出力する複数のデジタル−アナログコンバータとを備えており、
前記デジタル−アナログコンバータは、特定のレベルのリファレンス電流を出力するリファレンス電流出力部と、該リファレンス電流出力部から出力される特定のリファレンス電流を受けて、ＲＧＢ別にデータラインへ流れるシンク電流のレベルを調節するシンク電流調節部とから構成され、
前記シンク電流調節部は、
第１電圧端と、
前記リファレンス電流出力部の出力端と前記第１電圧端との間に直列に接続された可変抵抗及び第１トランジスタと、
前記データラインと前記第１電圧端との間に直列に接続され、そのゲートが前記可変抵抗と第１トランジスタとの間に接続される第３トランジスタと、
前記第３トランジスタと前記第１電圧端との間に直列に接続され、そのゲートが前記第１トランジスタのゲートと共通に前記第３トランジスタのドレインに接続される第２トランジスタと、
を含むことを特徴とするＡＭＥＬＤの駆動回路。
【請求項１７】
前記第１電圧端は各Ｒ，Ｇ，Ｂ別に外部から特定の電圧を印加されることを特徴とする請求項１６記載のＡＭＥＬＤの駆動回路。
【請求項１８】
前記第１トランジスタと第１電圧端との間にＲ，Ｇ，Ｂ別に特定の抵抗値で設定された固定抵抗が更に接続されていることを特徴とする請求項１６記載のＡＭＥＬＤの駆動回路。
【請求項１９】
前記第２トランジスタと第１電圧端との間にＲ，Ｇ，Ｂ別に特定の抵抗値で設定された固定抵抗が更に接続されていることを特徴とする請求項１６記載のＡＭＥＬＤの駆動回路。
【請求項２０】
データ信号と走査信号をパネルの各画素に伝送するデータドライバとゲートドライバを含むＡＭＥＬＤの駆動回路において、
前記データドライバはシフトレジスタに格納された制御信号をラッチするラッチ部と、ラッチした制御信号によって特定のレベルのリファレンス電流をＲＧＢ別のデータ信号線に出力する複数のデジタル−アナログコンバータとを備えており、
前記デジタル−アナログコンバータは、特定のレベルのリファレンス電流を出力するリファレンス電流出力部と、該リファレンス電流出力部から出力される特定のリファレンス電流を受けて、ＲＧＢ別にデータラインへ流れるシンク電流のレベルを調節するシンク電流調節部とから構成され、
前記シンク電流調節部は、
第１、第２電圧端と、
前記リファレンス電流出力部の出力端と前記第１電圧端との間に直列に接続された可変抵抗、第１トランジスタ、及び第３トランジスタと、
前記データラインと前記第２電圧端との間に直列に接続され、そのゲートが前記第１トランジスタのゲートと共通にＶｂｉａｓに接続される第２トランジスタと、
前記第２トランジスタと前記第２電圧端との間に直列に接続され、そのゲートが前記第３トランジスタのゲートと共通に前記可変抵抗と第１トランジスタとの間に接続される第４トランジスタと、
を含むことを特徴とするＡＭＥＬＤの駆動回路。
【請求項２１】
前記Ｖｂｉａｓは一定に外部から印加される電圧であることを特徴とする請求項２０記載のＡＭＥＬＤの駆動回路。
【請求項２２】
前記第１電圧端は仮電圧に保持され、第２電圧端はＲ，Ｇ，Ｂ別に特定の電圧を外部から印加され、Ｒ，Ｇ，Ｂ別にシンク電流のレベルを調節することを特徴とする請求項２０記載のＡＭＥＬＤの駆動回路。
【請求項２３】
データ信号と走査信号をパネルの各画素に伝送するデータドライバとゲートドライバを含むＡＭＥＬＤの駆動回路において、
前記データドライバはシフトレジスタに格納された制御信号をラッチするラッチ部と、ラッチした制御信号によって特定のレベルのリファレンス電流をＲＧＢ別のデータ信号線に出力する複数のデジタル−アナログコンバータとを備えており、
前記デジタル−アナログコンバータは、特定のレベルのリファレンス電流を出力するリファレンス電流出力部と、該リファレンス電流出力部から出力される特定のリファレンス電流を受けて、ＲＧＢ別にデータラインへ流れるシンク電流のレベルを調節するシンク電流調節部とから構成され、
前記シンク電流調節部は、
第１電圧端と、
前記リファレンス電流出力部の出力端と前記第１電圧端との間に直列に接続された可変抵抗、第１トランジスタ、及び第３トランジスタと、
前記データラインと前記第１電圧端との間に直列に接続され、そのゲートが前記第１トランジスタのゲートと共通にＶｂｉａｓに接続される第２トランジスタと、
前記第２トランジスタと前記第１電圧端との間に直列に接続され、そのゲートが前記第３トランジスタのゲートと共通に前記可変抵抗と第１トランジスタとの間に接続される第４トランジスタと、
を含むことを特徴とするＡＭＥＬＤの駆動回路。
【請求項２４】
前記第３トランジスタと第１電圧端との間にＲ，Ｇ，Ｂ別に特定の抵抗値で設定された固定抵抗が更に接続されていることを特徴とする請求項２３記載のＡＭＥＬＤの駆動回路。
【請求項２５】
前記第４トランジスタと第１電圧端との間にＲ，Ｇ，Ｂ別に特定の抵抗値で設定された固定抵抗が更に接続されていることを特徴とする請求項２３記載のＡＭＥＬＤの駆動回路。
【請求項２６】
前記第１電圧端は、Ｒ，Ｇ，Ｂ別にシンク電流を調節するために外部から制御して印加される電圧であることを特徴とする請求項２３記載のＡＭＥＬＤの駆動回路。
【発明の詳細な説明】
【０００１】
【発明の属する技術分野】
本発明はディスプレイ素子の駆動回路に関し、特に、デジタル信号で駆動可能なアクティブマトリックス電界発光素子（ＡＭＥＬＤ：Active Matrix Electroluminescence Device）の駆動回路に関する。
【０００２】
【従来の技術】
前記ＡＭＥＬＤは、板状の発光層の両面に電極をマトリックス状に形成された電界発光を用いた発光体であり、大きく画面表示部と駆動回路部とに区分される。ＡＭＥＬＤは、広い視野角、高速応答性、高コントラスト、低電圧駆動、低電力消費などの優れた特徴を有しており、薄くて軽く、色感が優れているため、最近の大型化の傾向に対応することができる次世代の平面表示素子である。
【０００３】
一方、ディスプレイ素子は、カラー表示のような膨大な量の情報を表示するために、白と黒状態の間に幾つかの中間段階を更に有するが、これを実現するためには、液晶に印加される電圧の強度を調節する方法と電流の強度を調節する方法とがある。
２つの方法の内、電圧を調節する方法は、電圧によって光透過量が変化する特性を用いて階調を調節するものであって、外部から印加された電圧を調節して、データ電圧による画面の明るさの変化を液晶のしきい値電圧に対するパラメータとして抽出する。ここで、前記しきい値電圧は、電圧を漸増させた場合に透過率の変化が本格的に起こり始める電圧を云い、前記しきい値電圧が大きいと、液晶に印加すべき電圧も大きくなり、結局、電力消耗を増加させる要因になり得る。
【０００４】
さらに、電圧に対する透過度の関係は非線形なので、所望の透過度を得るための電圧調節には困難が伴なう。
即ち、実際の画像を実現する際には、何段階かの印加電圧によって透過率の階調を制御することになるが、電圧を一定間隔の段階に分ける場合、透過率の非線形性のため、透過率にむらを生じる。つまり、印加電圧を一定刻みの段階にしても、透過率の刻み幅は不均一になるので、繊細な階調表示が難しくなり、結果的に、画像の繊細さが失われる。
【０００５】
反面、電流の強度に対する透過度の関係は線形性を有するので、電流の調節方法は電圧の調節方法よりはるかに正確且つ容易である。
【０００６】
以下に、添付の図面を参照して一般的なＡＭＥＬＤ駆動回路の構造を概略的に説明する。
【０００７】
図１は一般的なＡＭＥＬＤ駆動回路の構造を示す概略図である。
一般的なＡＭＥＬＤ駆動回路は、図１に示すように、ディスプレイに電源を供給する電源供給部１０と、信号源の外部のマイクで制御部と映像信号をインタフェースするインタフェース部１１と、該インタフェース部１１を介して伝送された映像信号を格納するメモリ部１２と、該メモリ部１２に格納した映像信号を入力され、前記電源供給部１０から入力される電源をディスプレイパネル１８のデータ信号で出力するソースドライバ１５と、ディスプレイパネル１８の各画素にデータ信号が印加され得るようにＴＦＴをオンさせる走査信号を出力するゲートドライバ１６と、前記ソースドライバ及びゲートドライバで必要な各種のタイミング信号を発生し、制御するタイミング制御部１７とから構成されている。
前記信号源としてはコンピュータや動画像ディスプレイのためのレーザディスクプレイヤーなどがある。
【０００８】
【発明が解決しようとする課題】
本発明は電流駆動用ＩＣで集積化が可能であり、ｎビットのデジタル信号を受けて、各ＲＧＢチャネル別の出力電流値の調節の可能なＡＭＥＬＤの駆動回路を提供することを目的とする。
【０００９】
【課題を解決するための手段】
上記の目的を達成するために、本発明のＡＭＥＬＤの駆動回路は、データ信号と走査信号をパネルの各画素に伝送するデータドライバとゲートドライバを含むＡＭＥＬＤの駆動回路において、前記データドライバは仮格納された制御信号をラッチするラッチ部と、ラッチした制御信号によって特定のレベルのリファレンス電流をＲＧＢ別のデータ信号に出力する複数のデジタル−アナログコンバータとを備えて構成されることを特徴とする。
【００１０】
即ち、ｎ個の基準電流値を仮に選定して、ｎビットのデジタル入力信号に従って選択／非選択して所望のグレーを表現し、電圧が一定に保持された電圧端と各ＲＧＢチャネル別に電圧が変化する電圧端を備えて各カラー別の出力電流値を調節することを技術的特徴としている。
【００１１】
【発明の実施の形態】
以下、本発明の実施形態によるＡＭＥＬＤの駆動回路を添付の図面に沿って詳細に説明する。
【００１２】
図２は一般的なＡＭＥＬＤのデータドライバの構成図である。
図２を参考にしてＡＭＥＬＤのデータドライバに対して説明すると、データクロック（Data Clock）により外部から入力されたＲＧＢのデジタル信号を仮に格納するシフトレジスタ部と、前記シフトレジスタ部から印加されたＲＧＢのデジタル信号を制御信号によりラッチするラッチ部と、前記ラッチ部からラッチしたＲＧＢのデジタル信号（Ｄ１〜Ｄｎ）を受けて、ＲＧＢのアナログ信号に変換させるデジタル−アナログコンバータ（以下、ＤＡＣ）部から構成されている。
この場合、前記ＤＡＣ部は複数個の電流ＤＡＣから構成され、それぞれの電流ＤＡＣはリファレンスブロックからのリファレンス電流源（Ｉ１〜Ｉｎ）を複数個のスイッチ素子の制御信号にして、前記ＲＧＢのデジタル信号（Ｄ１〜Ｄｎ）を仮に組み合わせて特定のレベルの電流を出力することにより、各画素に接続されるデータラインに特定のシンク電流を送り出す。
【００１３】
第１，第２実施形態
図３は本発明の第１実施形態による駆動回路図であり、図４は本発明の第２実施形態による駆動回路図である。
本発明の第１実施形態によるＡＭＥＬＤの駆動回路は複数個のリファレンス電流源（Ｉ１，Ｉ２，．．．，Ｉｎ）を仮に組み合わせて特定のレベルのリファレンス電流を出力するリファレンス電流出力部Ｉと、リファレンス電流出力部から出力される特定のレベルのリファレンス電流を受けてシンク電流のレベルを調整するシンク電流調節部（ＩＩ）とから構成されている。
この場合、前記リファレンス電流出力部（Ｉ）は入力端にそれぞれ互いに異なるレベルの電流（Ｉ１，Ｉ２，．．．，Ｉｎ）が印加され、その出力端は共通に接続され制御信号（Ｄ１，Ｄ２，．．．，Ｄｎ）によってその出力レベルが決定される複数個のスイッチ素子から構成されている。ここで、前記スイッチ素子は薄膜トランジスタである。
【００１４】
つぎに、前記シンク電流調節部（ＩＩ）は第１，第２電圧端（Ｖ１，Ｖ２）と、カレントミラー型を成す多数のトランジスタとから構成されている。前記トランジスタには前記リファレンス電流出力部（Ｉ）の出力端と第１電圧端（Ｖ１）との間に接続された第１トランジスタ（Ｔ１）と、第２電圧端（Ｖ２）とデータラインに接続される第２トランジスタ（Ｔ２）があり、前記第１トランジスタ（Ｔ１）のゲートと第２トランジスタ（Ｔ２）のゲートは共通に前記リファレンス電流の出力端と接続される。
【００１５】
前記デジタル駆動回路で第１電圧端（Ｖ１）は一定に保持された電圧の一例として主に接地電圧を用いることができるが、ポジティブ電圧又はネガティブ電圧を用いることもできる。つぎに、第２電圧端（Ｖ２）はＲＧＢ別に他のレベルの特定の電圧を印加するが、このような方法で電圧レベルを調節すると、シンク電流のレベルが増加又は減少することにより、データライン（Ｄ／Ｌ）に特定の電圧レベルが伝達される。
ここで、基準電流Ｉ１，Ｉ２，．．．．Ｉｎ−１，Ｉｎのレベルは仮に設定可能であり、最も簡単な例としてバイナリウェートを与える。即ち、「Ｉｎ＝２ Ｉｎ―１＝２２ Ｉｎ―２  …  ＝２ｎ−２Ｉ２＝２ｎ−１Ｉ１」式を満足するように電流のレベルを設定する。
その他にランマコレクション（ramma correction）でリファレンス電流のレベルを設定することも可能である。
制御信号のＤ１，Ｄ２，．．．．，Ｄｎは入力されるアナログ信号に対して変換されたｎビットを構成するデジタル入力信号である。
【００１６】
一方、第２実施形態は、図４に示すように、前記第１実施形態におけるリファレンス電流出力端（Ｉ）と第１トランジスタ（Ｔ１）の入力端との間に電流遮断スイッチ（ＳＩ）を更に設けることを特徴とする。
【００１７】
第３，第４実施形態
図５は本発明の第３実施形態による駆動回路図であり、図６は本発明の第４実施形態による駆動回路図である。
本発明の第３実施形態によるＡＭＥＬＤ駆動回路図もリファレンス電流出力部（Ｉ）とシンク電流調節部（ＩＩ）とから構成されている。
前記リファレンス電流出力部（Ｉ）は入力端にそれぞれ互いに異なるレベルの電流（Ｉ１，Ｉ２，．．．，Ｉｎ）が印加され、その出力端は共通に接続され、制御信号（Ｄ１，Ｄ２，．．．．，Ｄｎ）によってその出力レベルが決定される複数個のスイッチ素子から構成されている。ここで、前記スイッチ素子は薄膜トランジスタである。
【００１８】
前記シンク電流調節部（ＩＩ）は第１電圧端と、前記リファレンス電流出力部の出両端と前記第１電圧端（Ｖ１）との間に直列に接続された第１トランジスタ（Ｔ１）と固定抵抗（Ｒｓ）と、前記第１電圧端（Ｖ１）とデータライン（Ｄ／Ｌ）との間に接続された第２トランジスタとから構成され、前記第１トランジスタと第２トランジスタのゲートは共通に前記リファレンス電流出力端と接続されている。
【００１９】
より詳細に説明すると、前記複数個の制御信号、即ち、デジタル入力信号（Ｄ１，Ｄ２，．．．．，Ｄｎ）によってリファレンス電流源（Ｉ１，Ｉ２，．．．，Ｉｎ）のレベルが選択的に制御、組み合わせられて前記リファレンス電流出力部に出力される特定のレベルのリファレンス電流が第１，第２トランジスタのゲートに入力され、第１電圧端から印加される電圧を制御して、データラインから流れ込むシンク電流値を調節する。この場合、前記第１電圧端から印加される電圧は接地電圧、ポジティブ電圧又はネガティブ電圧のうち何れかから設定する。
【００２０】
固定抵抗はＲ，Ｇ，Ｂ別に違うレベルの電圧に設定して各Ｒ，Ｇ，Ｂチャネルを駆動する。
即ち、リファレンス電流出力部（Ｉ）から出力される同一な特定レベルのリファレンス電流で各カラー別の出力シンク電流値を調節できるので、ＡＭＥＬＤ駆動回路の集積化が可能である。
以上で前記リファレンス電流源のレベルは仮設定し、例えば、「Ｉｎ＝２Ｉｎ―１＝  …  ＝２ｎ−２Ｉ２＝２ｎ−１Ｉ１」式を満足するように定められる。
【００２１】
一方、第４実施形態は、図６に示すように、前記第３実施形態におけるリファレンス電流出力端（Ｉ）と第１トランジスタ（Ｔ１）の入力端との間に電流遮断スイッチ（Ｓ１）を更に設けることを特徴とする。
【００２２】
第５，第８実施形態
図７は本発明の第５実施形態による駆動回路図である。
本発明の第５実施形態によるＡＭＥＬＤ駆動回路図もリファレンス電流出力部（Ｉ）とシンク電流調節部（ＩＩ）とから構成されている。
前記リファレンス電流出力部（Ｉ）は入力端にそれぞれ互いに違うレベルのリファレンス電流（Ｉ１，Ｉ２，．．．，Ｉｎ）が印加され、その出力端は共通に接続され、制御信号（Ｄ１，Ｄ２，．．．．，Ｄｎ）によってその出力レベルが決定される複数個のスイッチ素子から構成されている。ここで、前記スイッチ素子は薄膜トランジスタである。
【００２３】
前記シンク電流調節部（ＩＩ）は第１電圧端（Ｖ１）と、前記リファレンス電流出力部の出力端と前記第１電圧端（Ｖ１）との間に直列に接続された可変抵抗（Ｒｒ），第１トランジスタ（Ｔ１），及び固定抵抗（Ｒｓ）と、前記第１電圧端（Ｖ１）とデータライン（Ｄ／Ｌ）との間に接続された第２トランジスタ（Ｔ２）及び第３トランジスタ（Ｔ３）とから構成され、前記第３トランジスタのゲートは、前記可変抵抗（Ｒｒ）と第１トランジスタのドレインが接続された第１ノード（Ｎ１）との間に接続され、前記第１，第２トランジスタのゲートは、第２トランジスタのソースと第３トランジスタのドレインが接続された第２ノード（Ｎ２）に共通に接続される。
【００２４】
前記可変抵抗（Ｒｒ）はリファレンス電流出力部からデータ電圧が印加されるときパネル内に全てのＴＦＴが同一な特性を有し得るようにその抵抗値が調整される。
【００２５】
前記第１，第３トランジスタはカレントリピーター（current repeater）を構成して、データライン（Ｄ／Ｌ）から第１電圧端の側に流れる電流量が第１ノードに供給される電流量に従って変化する。すなわち、データラインから第３，第２トランジスタを経由して、第１電圧端の側に流れる逆方向電流がリファレンス電流出力端の電圧に従って変化する。
【００２６】
前記第１，第２トランジスタはカレントミラーを形成するため、データラインから第１電圧端の側に供給される電流量は第３トランジスタに流れる電流量により定められる。
【００２７】
前記固定抵抗の抵抗値はＲ，Ｇ，Ｂによって異なるように設定される。すなわち、同一な画素電圧が印加されたとき、データラインから第１電圧端の側に流れる電流量は固定抵抗の抵抗値により定められる。
【００２８】
かかる固定抵抗は第８実施形態を示す図１０のように、第２トランジスタと第１電圧端との間に接続することもできる。
前記固定抵抗により、第１，第２トランジスタのゲートに入力され、第１電圧端から印加される電圧を制御して、データラインから流れるシンク電流値を調節する。
この場合、前記第１電圧端に印加される電圧は接地電圧、ポジティブ電圧又はネガティブ電圧のうち何れかから設定される。
すなわち、リファレンス電流出力部（Ｉ）から出力される同一な特定のレベルのリファレンス電流で各カラー別の出力シンク電流値を調節できるので、ＡＭＥＬＤ駆動回路の集積化が可能である。また、可変抵抗値を調節して全体パネルの明るさを調節することができる。
【００２９】
第６，第７実施形態
図８は本発明の第６実施形態による駆動回路図であり、図９は本発明の第７実施形態による駆動回路図である。
本発明の実施形態によるＡＭＥＬＤは、図８に示すように、複数のリファレンス電流源を仮に組み合わせて特定のレベルのリファレンス電流を出力するリファレンス電流出力部（Ｉ）と、そのリファレンス電流出力部（Ｉ）から出力されるリファレンス電流を受けてシンク電流のレベルを調整するシンク電流調節部（ＩＩ）とから構成されている。
前記リファレンス電流出力部（Ｉ）は、入力端にそれぞれ互いに異なるレベルのリファレンス電流（Ｉ１，Ｉ２，．．．，Ｉｎ）が印加され、その出力端が共通に接続されてｎビットの制御信号（Ｄ１，Ｄ２，．．．．，Ｄｎ）によってその出力レベルが決定される複数のスイッチ素子から構成されている。ここで、前記スイッチ素子は薄膜トランジスタである。
【００３０】
前記シンク電流調節部（ＩＩ）は第１電圧端（Ｖ１）と、固定抵抗（Ｒｓ）と、前記リファレンス電流出力部（Ｉ）の出力端と前記第１電圧端（Ｖ１）との間に接続された第１トランジスタ（Ｔ１）及び前記固定抵抗（Ｒｓ）と直列に接続され、データラインと前記第１電圧端（Ｖ１）に接続された第２トランジスタ（Ｔ２）を含むカレントミラー構造から構成されている。但し、前記第１トランジスタ（Ｔ１）と第２トランジスタ（Ｔ２）のゲートは共通に前記リファレンス電流出力部の出力端と接続される。
【００３１】
前記固定抵抗（Ｒｓ）は第１電圧端（Ｖ１）と直接に接続されるが、前記第１電圧端（Ｖ１）を一定の電圧で固定させ、各ＲＧＢ別に抵抗値が変化する固定抵抗（Ｒｓ）を使用して、各ＲＧＢチャネル別の出力シンク電流を調節する。
【００３２】
つぎに、前記リファレンス電流出力部（Ｉ）からｎビットの制御信号（Ｄ１，Ｄ２，．．．．，Ｄｎ）によってｎ個のリファレンス電流源が選択又は非選択され、リファレンス電流出力部から統合的に出力されるので、Ｒ，Ｇ，Ｂの間の所望の中間階調を表現することができる。
例えば、６ビットの駆動回路を使用すると６４階調を作ることができる。フルカラーを要求するモニターでは２５６階調になると１６００万色以上が実現可能である。
【００３３】
一方、第７実施形態は、図９に示すように、前記第６実施形態におけるリファレンス電流出力端（Ｉ）と第１トランジスタ（Ｔ１）の入力端との間に電流遮断スイッチ（Ｓ１）を更に設けたことを特徴とする。
【００３４】
第９，第１０，第１１，第１２，第１３実施形態
図１１は本発明の第９実施形態による駆動回路図であり、図１２は本発明の第１０実施形態による駆動回路図である。
本発明の実施形態によるＡＭＥＬＤは、図１１に示すように、特定のレベルのリファレンス電流を出力するリファレンス電流出力部（Ｉ）と、シンク電流のレベルを調整するシンク電流調節部（ＩＩ）とから構成されている。
前記リファレンス電流出力部（Ｉ）は、入力端にそれぞれ互いに異なるレベルのリファレンス電流（Ｉ１，Ｉ２，．．．，Ｉｎ）が印加され、その出力端が共通に接続されてｎビットの制御信号（Ｄ１，Ｄ２，．．．．，Ｄｎ）によってリファレンス電流が組み合わされ特定の出力レベルが決定されるｎ個のスイッチ素子から構成されている。この場合、前記スイッチ素子は薄膜トランジスタである。
【００３５】
前記シンク電流調節部（ＩＩ）は第１電圧端（Ｖ１）と、第１，第２トランジスタ（Ｔ１，Ｔ２）と、前記リファレンス電流出力部（Ｉ）の出力端と前記第１電圧端（Ｖ１）との間に直列に接続された第１，第３トランジスタ（Ｔ１，Ｔ３）及び前記第１電圧端（Ｖ１）とデータラインとの間に直列に接続される第２，第４トランジスタ（Ｔ２，Ｔ４）から構成され、前記第３トランジスタと第４トランジスタのゲートは共通に前記リファレンス電流出力部（Ｉ）の出力端の第１ノード（Ｎ１）に接続され、前記第１トランジスタのゲートと第２トランジスタのゲートは外部から一定の電圧で制御する特定の電圧Ｖｂｉａｓに共通に接続される。前記Ｖｂｉａｓは通常３．３Ｖにする。
前記第１電圧端はＲＧＢ別に出力されるシンク電流のレベルを調節するために外部から制御して印加する電圧である。
【００３６】
一方、第１０実施形態は、図１２に示すように、前記第９実施形態におけるリファレンス電流出力端（Ｉ）と第１ノード（Ｎ１）との間に電流遮断スイッチ（Ｓ１）を更に設けたことを特徴とする。
【００３７】
第１１実施形態は、図１３に示すように、前記第９実施形態におけるリファレンス電流出力端（Ｉ）と第１ノード（Ｎ１）との間に可変抵抗（Ｒｒ）を更に設け、第３，第４トランジスタに共通に接続された第１電圧端を分割して第３トランジスタには第１電圧端を接続し、第４トランジスタには第２電圧端を接続する。ここで、前記第１電圧端（Ｖ１）は一定の固定値として主に接地電圧を用いるが、ポジティブ電圧又はネガティブ電圧を用いることもでき、前記第２電圧端（Ｖ２）はＲＧＢ別に違うレベルの特定の電圧を印加するが、このような方法で電圧レベルを調節すると、シンク電流（Ｉｓｉｎｋ）のレベルが増加又は減少することによりデータラインに特定の電圧レベルが伝達される。
【００３８】
第１２実施形態は、図１４に示すように、前記第９実施形態におけるリファレンス電流出力端（Ｉ）と第１ノード（Ｎ１）との間に可変抵抗（Ｒｒ）を更に設け、第３トランジスタ（Ｔ３）と第１電圧端（Ｖ１）との間に固定抵抗（Ｒｓ）を更に設けた。ここで、固定抵抗の抵抗値はＲ，Ｇ，Ｂにより異なるように設定される。すなわち、同一な画素電圧が印加されたとき、データラインから第１電圧端の側に流れる電流量は固定抵抗の抵抗値により決定される。これにより同一なデジタル入力信号を各カラー別のシンク電流値で調節することができる。
【００３９】
前記第１２実施形態における固定抵抗は第１３実施形態を示す図１５のように、第４トランジスタと第１電圧端との間に接続することもできる。
【００４０】
第１４，第１５実施形態
図１６は本発明の第１４実施形態による駆動回路図であり、図１７は本発明の第１５実施形態による駆動回路図である。
本発明の実施形態によるＡＭＥＬＤは、図１４に示すように、リファレンス電流出力部（Ｉ）と、リファレンス電流出力部から出力されるリファレンス電流を受けてシンク電流のレベルを調整するシンク電流調節部（ＩＩ）とから構成されている。
【００４１】
前記リファレンス電流出力部（Ｉ）は、入力端にそれぞれ互いに異なるレベルのｎ個のリファレンス電流（Ｉ１，Ｉ２，．．．，Ｉｎ）が印加され、その出力端が共通に接続されて制御信号（Ｄ１，Ｄ２，．．．．，Ｄｎ）によって前記リファレンス電流が組み合わされ出力レベルが決定されるｎ個のスイッチ素子から構成されている。
ここで、前記スイッチ素子は薄膜トランジスタである。
【００４２】
前記シンク電流調節部（ＩＩ）は第１電圧端（Ｖ１）と、データラインと接続された第１トランジスタ（Ｔ１）と、前記リファレンス電流出力部（Ｉ）の出力端と前記第１電圧端（Ｖ１）との間に接続された第２トランジスタ（Ｔ２）と、前記第１電圧端（Ｖ１）とデータラインとの間に直列に接続される第１，第３トランジスタ（Ｔ１，Ｔ３）とから構成され、前記第２トランジスタ（Ｔ２）と第３トランジスタ（Ｔ３）のゲートは共通に第１トランジスタ（Ｔ１）のドレインと接続され、前記第１トランジスタのゲートはリファレンス電流出力部（Ｉ）の出力端と第１トランジスタ（Ｔ１）の入力端との間の第１ノード（Ｎ１）に接続される。
【００４３】
前記構造で、同一なデジタル入力信号下で第１電圧端にＲＧＢ別に互いに異なる電圧を印加することだけで各ＲＧＢ別のシンク電流値を調節できるので、電流駆動用ＩＣで集積化が可能となる。
【００４４】
一方、第１５実施形態は、図１７に示すように、前記第１４実施形態におけるリファレンス電流出力端（Ｉ）と第１ノード（Ｎ１）との間に電流遮断スイッチ（Ｓ１）を更に設けたことを特徴とする。
【００４５】
以上の第２，４，７，１０，１５実施形態における電流遮断スイッチ（Ｓ１）はリファレンス電流出力部（Ｉ）とシンク電流調節部（ＩＩ）とを電気的に分離するために構成したもので、Ｄ１，Ｄ２，．．．．，Ｄｎの制御信号によってスイッチ素子がオン又はオフ時に発生するノイズを減少させ、電流の消費を防止するためのものである（図４，６，９，１２，１７参照）。
【００４６】
ところが、本発明でｎビットのデジタル入力信号、即ち、制御信号によってスイッチ素子（Ｓ１）がオン又はオフ時に生じるスイッチノイズは極く小さいので、これを無視した構造も可能である。前記スイッチ素子を無視した構造を説明したのが第１，３，６，９，１４実施形態である。
【００４７】
【発明の効果】
以上説明したように、本発明によるＡＭＥＬＤの駆動回路によれば、同一なデジタル入力信号で各ＲＧＢ別に駆動が可能なので、電流駆動用ドライバＩＣで集積化が可能である。
また、デジタル入力信号がオン又はオフする時に発生するノイズが小さいので、スイッチノイズ減少のために導入されるスイッチ素子を排除することが可能である。
【図面の簡単な説明】
【図１】  一般的なＡＭＥＬＤ駆動回路の構造を示す概略図である。
【図２】  一般的なＡＭＥＬＤのデータ駆動回路の構成図である。
【図３】  本発明の第１実施形態による駆動回路図である。
【図４】  本発明の第２実施形態による駆動回路図である。
【図５】  本発明の第３実施形態による駆動回路図である。
【図６】  本発明の第４実施形態による駆動回路図である。
【図７】  本発明の第５実施形態による駆動回路図である。
【図８】  本発明の第６実施形態による駆動回路図である。
【図９】  本発明の第７実施形態による駆動回路図である。
【図１０】  本発明の第８実施形態による駆動回路図である。
【図１１】  本発明の第９実施形態による駆動回路図である。
【図１２】  本発明の第１０実施形態による駆動回路図である。
【図１３】  本発明の第１１実施形態による駆動回路図である。
【図１４】  本発明の第１２実施形態による駆動回路図である。
【図１５】  本発明の第１３実施形態による駆動回路図である。
【図１６】  本発明の第１４実施形態による駆動回路図である。
【図１７】  本発明の第１５実施形態による駆動回路図である。
【符号の説明】
Ｉ１，Ｉ２，．．．，Ｉｎ：リファレンス電流源
Ｄ１，Ｄ２，．．．，Ｄｎ：デジタル入力信号
Ｖ１，Ｖ２：第１，第２電圧端
Ｒｓ：固定抵抗
Ｒｒ：可変抵抗
Ｓ１：電流遮断スイッチ
Ｉｓｉｎｋ：シンク電流
Ｔ１，Ｔ２：第１，第２トランジスタ
【図１】
0003950988.tif 000002
【図２】
0003950988.tif 000003
【図３】
0003950988.tif 000004
【図４】
0003950988.tif 000005
【図５】
0003950988.tif 000006
【図６】
0003950988.tif 000007
【図７】
0003950988.tif 000008
【図８】
0003950988.tif 000009
【図９】
0003950988.tif 000010
【図１０】
0003950988.tif 000011
【図１１】
0003950988.tif 000012
【図１２】
0003950988.tif 000013
【図１３】
0003950988.tif 000014
【図１４】
0003950988.tif 000015
【図１５】
0003950988.tif 000016
【図１６】
0003950988.tif 000017
【図１７】
0003950988.tif 000018